(57)【要約】【課題】簡単な作業で組み立て、分解することが可能で、自由に撤去したり、位置を変えたりできて、更に構成部材をそのまま他の設置場所に転用することが可能な防音性能を備えた間仕切りを提供する。【解決手段】箱状体３の側板７どうしを接合させて、連結穴１１どうしを対向させる。そして、互いに対向する連結穴１１に連結ピン１９を差し込んで嵌め込む。これと同様にして左右、上下方向に箱状体３を重ねて配置し、互いに接合する側板７の連結穴１１に連結ピン１９を嵌め込み、壁状の間仕切り１を構築する。間仕切り１は部屋Ｒの床Ｆ、天井Ｃ、壁Ｗとの間に隙間がないように配置する。このように間仕切り１では箱状体３を上下左右に重ねて、連結ピン１９を用いて連結するだけで簡単に組み立てることができる。【選択図】        図２
2013044196.tif 000002
【特許請求の範囲】
【請求項１】
四角形の底板と４枚の側板から成り一面が開口する箱状体と、前記箱状体の奥部に備えられた防音・吸音材と、前記箱状体どうしを連結し、且つ連結の解除が可能な連結手段から成り、前記複数の箱状体の側板どうしを接合し前記連結手段によって連結して構成したことを特徴とする間仕切り。
【請求項２】
請求項１に記載した間仕切りにおいて、連結手段は箱状体の側板に形成された複数の連結穴と、前記箱状体の互いに接合する側板の連結穴に嵌め込む連結ピンによって構成されていることを特徴とする間仕切り。
【請求項３】
請求項１または２に記載した間仕切りの箱状体の開口に開閉扉を備えたことを特徴とする間仕切り。
【発明の詳細な説明】
【技術分野】
【０００１】
本発明は防音性能を有する間仕切りに関するものである。
【背景技術】
【０００２】
建築物において部屋を区切るために用いる間仕切りには、隣の部屋の音が聞こえるのを防止する必要性から高い防音性能を要求されることが多い。防音性能を有する間仕切りは隣り合う部屋との間を隙間なく完全に隔絶する必要があるという観点から本格的な工事によって構築される。
例えば、特許文献１に記載された防音性能を有する間仕切りはタッピングスクリューを用いてパネル等を躯体に固定している。
【先行技術文献】
【特許文献】
【０００３】
【特許文献１】特開２００５−１５５１４１号公報
【発明の概要】
【発明が解決しようとする課題】
【０００４】
しかしながら、上記従来の間仕切りは本格的な工事によりパネル等を躯体に固定しているので、間仕切りを撤去したり、位置を変えたりすることは想定していない。このため、間取りの変更に対応することができないという不都合がある。
また、間仕切りを構成するパネル等は施工場所に合うサイズに製作されたものなので、他の場所に転用することができないという問題もある。
本発明は上記従来の問題点に着目して為されたものであり、簡単な作業で組み立て、分解することが可能で、容易に撤去したり、位置を変えたりできて、更に構成部材をそのまま他の設置場所に転用することが可能な防音性能を備えた間仕切りの提供を、その目的とする。
【課題を解決するための手段】
【０００５】
本発明は上記課題を解決するためになされたものであり、請求項１の発明は、四角形の底板と４枚の側板から成り一面が開口する箱状体と、前記箱状体の奥部に備えられた防音・吸音材と、前記箱状体どうしを連結し、且つ連結の解除が可能な連結手段から成り、前記複数の箱状体の側板どうしを接合し前記連結手段によって連結して構成したことを特徴とする間仕切りである。
【０００６】
請求項２の発明は、請求項１に記載した間仕切りにおいて、連結手段は箱状体の側板に形成された複数の連結穴と、前記箱状体の互いに接合する側板の連結穴に嵌め込む連結ピンによって構成されていることを特徴とする間仕切りである。
【０００７】
請求項３の発明は、請求項１または２に記載した間仕切りの箱状体の開口に開閉扉を備えたことを特徴とする間仕切りである。
【発明の効果】
【０００８】
本発明の間仕切りによれば、簡単な作業で組み立て、分解することができる。従って、間仕切りを自由に撤去したり、位置を変えたりすることが可能である。しかも、間仕切りの構成部材をそのまま他の設置場所に転用することが可能である。
また、本発明の間仕切りは高い防性能を発揮することが可能である。
【図面の簡単な説明】
【０００９】
【図１】本発明の実施の形態に係る間仕切りを備えた部屋の斜視図である。
【図２】図１の部屋の側面図である。
【図３】図１のＡ−Ａ断面図である。
【図４】図１の間仕切りの組み立て方法を説明するための斜視図である。
【図５】図１のＢ−Ｂ断面図の一部分を示す図である。
【図６】本発明のその他の実施の形態に係る間仕切りの斜視図である。
【図７】本発明のその他の実施の形態に係る間仕切りの斜視図である。
【発明を実施するための形態】
【００１０】
本発明の実施の形態に係る間仕切り１を図面にしたがって説明する。
図１、２に示すように間仕切り１は建築物の部屋Ｒを仕切り、間取りを変更する場合等に使用される。間仕切り１は複数の箱状体３を連結して壁状とすることにより構成される。
【００１１】
箱状体３は化粧合板によって構成され、正方形の底板５と４枚の側板７から成り一面が開口して開口部９が形成されている。４枚の側板７には４つの小径の丸穴から成る連結穴１１がそれぞれ形成されている。連結穴１１は２つずつ上下方向にも前後方向にも一線上に配置されている。
【００１２】
また、図３に示すように箱状体３の奥部にはグラスウールやロックウール等から成る防音・吸音材１３が備えられている。防音・吸音材１３の前面は化粧合板製の閉鎖板１５によって覆われている。従って、防音・吸音材１３は底板５、４枚の側板７および閉鎖板１５によって囲まれた空間１７に充填された状態で備えられている。なお、連結穴１１は空間１７より開口部９側に位置しており、空間１７は密閉されている。
符号１９は連結ピンを示し、連結穴１１にぴったり嵌り込む形状、径寸法に形成されている。
上記連結穴１１と連結ピン１９によって連結手段が構成されている。
【００１３】
次に、この間仕切り１の構築作業について説明する。
図４に示すように箱状体３の側板７どうしを接合させて、連結穴１１どうしを対向させる。そして、互いに対向する連結穴１１に連結ピン１９を差し込んで嵌め込む。これと同様にして左右、上下方向に箱状体３を重ねて配置し、互いに接合する側板７の連結穴１１に連結ピン１９を嵌め込み、壁状の間仕切り１を構築する。間仕切り１は部屋Ｒの床Ｆ、天井Ｃ、壁Ｗとの間に隙間がないように配置する。このように間仕切り１では箱状体３を上下左右に重ねて、連結ピン１９を用いて連結するだけで簡単に組み立てることができる（図５参照）。
【００１４】
この間仕切り１を構成する箱状体３には防音・吸音材１３が備えられ、しかも箱状体３の側板７どうしが接合されて連結固定されているので、高い防音性能を発揮することができる。即ち、防音・吸音材１３の作用と共に、ある程度の面積を有するこの側板７どうしがぴったり接合するので、側板７どうしの間から音が漏れるのを防止できる。従って、高い防音性能を発揮することが可能となる。
【００１５】
間仕切り１を分解する場合には、連結ピン１９を外して箱状体３どうしの連結を解除する。連結ピン１９を外す場合にはドライバー等を連結ピン１９に宛がい、これをハンマー等で軽く叩けばよい。このように連結ピン１９を簡単に外すことができる。
上記のように連結ピン１９を外して箱状体３どうしの連結を解除して、箱状体３を個別に運ぶ。
このように、間仕切り１は簡単な作業で分解することができ、間仕切り１を自由に撤去したり、位置を変えたりすることが可能となる。
また、間仕切り１を分解しても箱状体３はもとのままの状態なので、構成部材である箱状体３をそのまま他の設置場所に転用することが可能である。
【００１６】
なお、図６に示すその他の実施の形態に係る間仕切り２９のように、箱状体３の開口部９に開閉扉２１を備えてもよく、この開閉扉２１は扉板２３と、この扉板２３の上端部と上側の側板７の前端部とを連結する蝶番２５とによって構成されている。扉板２３には手を掛けるための取っ手穴２７が形成されている。
この間仕切り２９では、部屋の間を仕切るという間仕切り本体の機能に加えて、収納棚としての機能を有している。即ち図６に示すように箱状体３の開口部９から物品を出し入れできるので、物品を収容することが可能である。また、一部の箱状体３に開閉扉２１を設けたので、収容した物品を視認不可能とするだけでなく、デザイン的なアクセントにもなる。
【００１７】
また、図７に示すその他の実施の形態に係る間仕切り３１のように箱状体３の一つ（または複数）を、前方へ突出させて備え、デザイン的な面白味を出すことも可能である。この場合、突出させる箱状体３の後方側の連結穴１１と、当該箱状体３の上下左右において接合する箱状体３の前方側の連結穴１１とを対向させて、これらの連結穴１１に連結ピン１９を嵌め込む。
【００１８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では箱状体３の底板５を正方形のものとしたが、四角形であればよく、底板を長方形のものとしてもよい。
また、間仕切りを構成するにあたり、底板が正方形の箱状体と底板が長方形の箱状体を組み合わせたり、サイズの異なる箱状体を組み合わせたりしてもよい。
【００１９】
また、箱状体の内面を、吸音性能をもつ材料によって構成してもよい。このように本発明の間仕切りは、箱状体を構成する材料、防音・吸音材の種類を変えることによって、遮音壁、吸音壁および音響調整用の壁のいずれにも使用することが可能である。
【産業上の利用可能性】
【００２０】
本発明の間仕切りは、建築業、防音工事業等の産業に利用可能性を有する。
【符号の説明】
【００２１】
１、２９、３１…間仕切り      ３…箱状体      ５…底板
７…側板     ９…開口部      １１…連結穴
１３…防音・吸音部材      １５…閉鎖板      １７…空間
１９…連結ピン      ２１…開閉扉      ２３…扉板
２５…蝶番      ２７…取っ手穴
Ｒ…部屋      Ｗ…壁      Ｃ…天井
【図１】
2013044196.tif 000003
【図２】
2013044196.tif 000004
【図３】
2013044196.tif 000005
【図４】
2013044196.tif 000006
【図５】
2013044196.tif 000007
【図６】
2013044196.tif 000008
【図７】
2013044196.tif 000009